(57)【要約】【課題】主に遊技盤の外枠に対する相対位置の変化（位置ずれ）を検知することができる遊技盤及び遊技機を提供する。【解決手段】操作部材２１０を回転させると、基盤２４の外縁部の内側に位置していたスライド部材２０８は一方の支持片２１８と接触するとともに、スライド部材２０８にはその支持片２１８から押圧力が作用する。これにより、スライド部材２０８は、基盤２４の外縁部から外枠１２側に移動する。このとき、スイッチ部材２２４の検知接触部２３２が外枠１２の壁部１２Ａから圧力を受けるため、接触検知部２３２がスイッチ部本体２３０の内部に収納される。接触検知部２３２がスイッチ部本体２３０の内部に収納されると、スイッチ部材２２４から主制御基板１０２に対して検知信号が出力され、主制御基板１０２は、基盤２４の外枠１２に対する相対位置が正常の位置であると判断する。【選択図】      図１５
2008178559.tif 000002
【特許請求の範囲】
【請求項１】
外枠に対して開閉可能に取り付けられる内枠に装着され、表面に遊技領域が形成される基盤と、
前記基盤の外縁部から外側に突出し前記外枠との接触状態に基づいて前記基盤の前記外枠に対する相対位置の変化を検知する検知部と、
を備えていることを特徴とする遊技盤。
【請求項２】
前記検知部を、前記基盤の外縁部から外側に突出させた状態と、前記基盤の外縁部の内側に位置させた状態と、に切換える切換手段を備えることを特徴とする請求項１に記載の遊技盤。
【請求項３】
前記検知部は、前記基盤において前記内枠が前記外枠に対して開閉可能に軸支されている側に取り付けられていることを特徴とする請求項１又は２に記載の遊技盤。
【請求項４】
外枠に対して開閉可能に取り付けられる内枠に装着され、表面に遊技領域が形成される基盤と、
前記基盤の外縁部から外側に突出し前記外枠との接触状態に基づいて前記基盤の前記外枠に対する相対位置の変化を検知する検知部と、
を備えている遊技盤、を具備することを特徴とする遊技機。
【請求項５】
前記検知部を、前記基盤の外縁部から外側に突出させた状態と、前記基盤の外縁部の内側に位置させた状態と、に切換える切換手段を備えることを特徴とする請求項４に記載の遊技機。
【請求項６】
前記検知部は、前記基盤において前記内枠が前記外枠に対して開閉可能に軸支されている側に取り付けられていることを特徴とする請求項４又は５に記載の遊技機。
【発明の詳細な説明】
【技術分野】
【０００１】
本発明は、遊技機の外郭を構成する外枠に対して開閉可能に設けられた内枠に装着され表面に遊技領域が形成される遊技盤、及びその遊技盤を備えた遊技機に関する。
【背景技術】
【０００２】
従来の遊技機は、木枠である外枠と、外枠の内部に収納され外枠に対して開閉可能に取り付けられる内枠と、その内枠に対して取り付けられ正面に遊技領域が形成された遊技盤と、を備えている。
【０００３】
このような従来の遊技機の内枠には、内枠が外枠に対して開放していることを検知するための位置検知スイッチが取り付けられている。内枠が外枠に対して閉じた状態では、位置検知スイッチがＯＮ（あるいはＯＦＦ）となり、内枠が外枠に対して開放すると、位置検知スイッチがＯＦＦ（あるいはＯＮ）となって、内枠が外枠に対して開放したことが検知される仕組みである。
【特許文献１】特開２００６−４３２０２号公報
【発明の開示】
【発明が解決しようとする課題】
【０００４】
ところで、上記従来の遊技機では、遊技機外部からの不正行為（ゴト行為）により遊技盤が外枠に対して位置ずれしたことを検知することはできないものであった。すなわち、不正行為者は、例えば、線状の細い工具を遊技盤と内枠との境界から内部に進入させ、入賞したことを検知するスイッチやＣＰＵなどの電子部品に対して不正行為を行うが、位置検知スイッチが内枠の外枠に対する変位を検知するためのものであるため、内枠が外枠に対して変位しない状態で遊技盤が外枠に対して位置ずれしたことを検知することは不可能であった。
【０００５】
また、遊技機を搬送する場合には、内枠が外枠に対して閉じられて位置検知スイッチの可動部内に用いられているバネが縮んだ状態が続くため、位置検知スイッチの検知精度が悪くなる問題が生じる。また、搬送時において位置検知スイッチに衝撃力が作用すると、位置検知スイッチが破損してしまうおそれがある。
【０００６】
さらに、遊技盤に位置検知スイッチが取り付けられておらず、かつ内枠にも位置検知スイッチが取り付けられていない遊技機に対して、面替え（遊技盤のみを交換すること）を行う場合には、遊技盤に位置検知スイッチを取り付けなければ、位置検知スイッチがない遊技機になってしまう。このような遊技機に対して位置検知スイッチを取り付ける場合には、内枠側に位置検知スイッチを後付けすることに対して所定の制限が課されているため、例えば面替えを行うときに、遊技盤及び内枠の全体を位置検知スイッチが取り付けられているものに取り替える必要がある。この結果、面替えを行う度に、遊技盤及び内枠の全体を取り替える必要があるため、コストが格段に上昇してしまう不具合が生じる。
【０００７】
そこで、本発明は、遊技盤の外枠に対する相対位置の変化（位置ずれ）を検知することができる遊技盤及び遊技機を提供することを目的とする。
【０００８】
また、本発明は、遊技機を搬送などする場合に、位置検知スイッチの検知精度が悪化したり、位置検知スイッチが破損したりすることを防止することができる遊技盤及び遊技機を提供することを目的とする。
【０００９】
さらに、本発明は、内枠に位置検知スイッチが取り付けられていない遊技機を面替えしたときに、位置検知スイッチが取り付けられた遊技機を得ることができる遊技盤及び遊技機を提供することを目的とする。
【課題を解決するための手段】
【００１０】
請求項１に記載の発明は、外枠に対して開閉可能に取り付けられる内枠に装着され、表面に遊技領域が形成される基盤と、前記基盤の外縁部から外側に突出し前記外枠との接触状態に基づいて前記基盤の前記外枠に対する相対位置の変化を検知する検知部と、を備えている遊技盤であることを特徴とする。
【００１１】
請求項２に記載の発明は、請求項１に記載の遊技盤において、前記検知部を、前記基盤の外縁部から外側に突出させた状態と、前記基盤の外縁部の内側に位置させた状態と、に切換える切換手段を備えることを特徴とする。
【００１２】
請求項３に記載の発明は、請求項１又は２に記載の遊技盤において、前記検知部は、前記基盤において前記内枠が前記外枠に対して開閉可能に軸支されている側に取り付けられていることを特徴とする。
【００１３】
請求項４に記載の発明は、外枠に対して開閉可能に取り付けられる内枠に装着され、表面に遊技領域が形成される基盤と、前記基盤の外縁部から外側に突出し前記外枠との接触状態に基づいて前記基盤の前記外枠に対する相対位置の変化を検知する検知部と、を備えている遊技盤、を具備する遊技機であることを特徴とする。
【００１４】
請求項５に記載の発明は、請求項４に記載の遊技機において、前記検知部を、前記基盤の外縁部から外側に突出させた状態と、前記基盤の外縁部の内側に位置させた状態と、に切換える切換手段を備えることを特徴とする。
【００１５】
請求項６に記載の発明は、請求項４又は５に記載の遊技機において、前記検知部は、前記基盤において前記内枠が前記外枠に対して開閉可能に軸支されている側に取り付けられていることを特徴とする。
【発明の効果】
【００１６】
請求項１及び請求項４に記載の発明によれば、遊技盤には、外枠との接触状態に基づいて基盤の外枠に対する相対位置の変化を検知する検知部が設けられているため、内枠が外枠に対して開放した場合や、内枠が外枠に対して閉じた状態でも不正行為などにより基盤が外枠に対して位置ずれした場合に、基盤の外枠に対する相対位置の変化を検知することができる。このように、内枠が外枠に対して移動した場合と、基盤のみが外枠に対して移動した場合、の両方の変化を検知することができる。
【００１７】
また、基盤に検知部が取り付けられておらず、かつ内枠にも検知部が取り付けられていない遊技機に対して、面替え（遊技盤のみを交換すること）を行う場合には、基盤に検知部が取り付けられているため、常に、検知部を備えた遊技機を得ることができる。これにより、従来の遊技機のように、内枠に検知部が取り付けられていない遊技機に対しても、面替えすることで検知部を取り付けることができるため、面替えを行う度に、遊技盤及び内枠全体の取り替えが不要になり、コストの上昇を抑制することができる。
【００１８】
請求項２及び請求項５に記載の発明によれば、検知部に押圧力を作用させて検知部が基盤の外縁部から外側に突出させた状態と基盤の外縁部の内側に位置させた状態とに切換える切換手段を備えている。これにより、基盤の位置検知をしたい場合には検知部を突出させ、基盤の位置検知をする必要がない場合（例えば、遊技機を搬送する場合）には、検知部と外枠との接触を回避させることができる。このため、遊技機を搬送する場合などに検知部の検知精度の低下を防止でき、また、搬送中の衝撃力などで検知部が破損してしまうことを防止できる。
【００１９】
請求項３及び請求項６に記載の発明によれば、検知部が基盤において内枠が外枠に対して開閉可能に軸支されている側に取り付けられている。これにより、検知部の破損を避けることができる。
【発明を実施するための最良の形態】
【００２０】
次に、本発明の第１実施形態に係る遊技機について、図面を参照して説明する。なお、本実施形態では本発明を弾球遊技機の一例であるパチンコ機に適用した構成を説明する。
【００２１】
図１乃至図３に示すように、第１実施形態に係る遊技機であるパチンコ機（遊技機）１０の前面部には、主として、外枠１２と、内枠１４と、前面枠１６と、上皿部１８と、下皿部２０と、遊技球を発射させるための発射ハンドル２２などが設けられている。
【００２２】
図１及び図３に示すように、外枠１２は、木製の板状体を略長方形の額縁状に組立て固着したものである。内枠１４は、全体がブラスチック製で、外枠１２に対して開閉可能に軸支されている。この内枠１４には、後述の基盤２４が装着可能になっている。また、内枠１４の下部には、下皿部２０と、発射ハンドル２２と、がそれぞれ取り付けられている。また、図２に示すように、内枠１６の左下部には、スピーカ２６が設けられている。
【００２３】
図１に示すように、前面枠１６は、内枠１４の左端に開閉可能となるように軸支されている。また、前面枠１６は、全体がプラスチック製であり、基盤２４を前方から視認するべく、基盤２４に形成された遊技領域２８の形状に対応して略円形に形成された開口部３０を有している。また、前面枠１６の裏面には、ガラス板３２がガラス枠（図示省略）によって取り付けられている。そして、遊技者を基準とすれば、基盤２４に形成された遊技領域２８はガラス板３２の後方に位置するようになっている。なお、本実施形態では、ガラス板３２を前面枠１６の裏面側に取り付けた構成を例にとり説明したが、例えば、前面枠１６の前面側にガラス枠により取り付けてもよい。また、ガラス板３２に替えて、透明な樹脂板を前面枠１６に取り付けることができる。また、前面枠１６の開口部３０の下部には、上皿部１８が取り付けられている。
【００２４】
また、図２に示すように、内枠１４には、遊技領域２８が装着される開口部３４が形成されている。この内枠１４の開口部３４には、基盤２４が装着される。これにより、遊技者は、内枠１４に装着された基盤２４の遊技領域２８を前面枠１６の開口部３０を通して視認することができる。
【００２５】
次に、内枠１４に装着される基盤２４の表面構造について説明する。
【００２６】
図４に示すように、基盤２４は、内枠１４の開口部３４に装着・保持されるとともに、その裏面には裏機構盤３６が取り付けられている。基盤２４には、基盤２４の表面に設けられた外レール３８と内レール４０とにより略円形状の遊技領域２８が形成されている。遊技領域２８の内部には、中央装置４２と、始動口４４を有する普通電動役物４６と、ワープ入球口４８と、多数の障害釘５０と、風車５２等と、がそれぞれ配設されている。
【００２７】
中央装置４２は、遊技領域２８の略中央部に配置されており、演出図柄表示装置５４と、センター役物５６と、ランプ装置５８と、を備えている。
【００２８】
演出図柄表示装置５４は、後述の主制御基板１０２（図５参照）やサブ制御基板１０６（図５参照）からの制御信号に基づいて表示制御されており、略長方形状の映像画面を有している。この映像画面上には、特別図柄の擬似図柄である擬似特別図柄（擬似図柄）が表示される。具体的には、演出図柄表示装置５４の映像画面上には、１又は複数の擬似特別図柄を所定の方向に次々と変動させながら表示した後、停止表示する擬似特別図柄表示領域が形成されている。すなわち、左擬似特別図柄（左擬似図柄）を表示する左擬似特別図柄表示領域、中央擬似特別図柄（中央擬似図柄）を表示する中央擬似特別図柄表示領域、及び右擬似特別図柄（右擬似図柄）を表示する右擬似特別図柄表示領域が、略横一列となる配置方向に沿って並んで形成されている（それぞれ図示省略）。各擬似特別図柄表示領域は、これらの表示領域の配置方向と略直交する方向（上下方向）に図柄変動方向が設定されており、その方向に複数の擬似特別図柄が順次表示されていく。
【００２９】
演出図柄表示装置５４は、遊技球が普通電動役物４６の始動口４４に入球することにより、その映像画面の表示領域に表示される各擬似特別図柄をそれぞれ変動させて停止表示させるものである。そして、例えば、擬似特別図柄が「７、７、７」の３桁同一図柄で揃って停止表示（確定表示）すると、後述の変動入賞装置７２に配設された後述の大入賞装置７６の大入賞口７８が開放される。本実施形態のパチンコ機１０では普通電動役物４６の始動口４４に遊技球が入球すると、各擬似特別図柄がそれぞれ変動され、擬似特別図柄が３桁同一図柄で揃うことにより、「大当り」という特定価値を付与するものである。
【００３０】
ここで、本実施形態のパチンコ機１０では、例えば、大当りとして２種類のものが予め設定されている。具体的には、「７、７、７」などの同一の奇数数字の擬似特別図柄が３桁揃うことにより成立する確変大当りがある。また、「８、８、８」などの同一の偶数数字の擬似特別図柄が３桁揃うことにより成立する通常大当りがある。
【００３１】
確変大当り及び通常大当りは、比較的多くのラウンド数（例えば１５ラウンド）を有し、大入賞口７８の開放時間が約２６秒間である大当りである。このため、賞球数が比較的多くなる。なお、各大当りでは、大入賞口７８に所定数（例えば、１０個）の遊技球が入球するか、あるいは所定数（例えば、１０個）の遊技球が入球しなくても所定時間（例えば２６秒間）が経過したときに大入賞口８６が閉じられて１ラウンドが終了する。
【００３２】
また、確率変動状態は、大当り（確変大当り、通常大当りの２種類の大当り意味する）に移行する確率が予め定められた高確率となる状態である。また、開放時間延長状態は、普通電動役物４６の始動口４４の開放時間が通常よりも延長される状態である。例えば、通常の開放時間は、約０．１秒間であるのに対して、開放時間延長状態では、約４秒間に延長される。なお、普通電動役物４６の始動口４４は、普通図柄に当選することにより開放する。
【００３３】
また、確変大当りの後は、大当りに移行する確率が、通常遊技状態と比べ予め定められた高確率となる、特別図柄の確率変動状態になる。そして、次回大当りが発生するまでの間か、あるいは規定回数（例えば、１００００回）の特別図柄の変動表示が行われるまでの間、特別図柄及び普通図柄の変動時間が短縮され、かつ普通電動役物４６の開放延長機能が作動する。また、通常大当りの後は、大当りに移行する確率が通常遊技状態と同一の予め定められた低確率状態となるとともに、規定回数（例えば、１００回）だけ特別図柄及び普通図柄の変動時間が短縮され、かつ普通電動役物４６の開放延長機能が作動する時短遊技状態となる。
【００３４】
センター役物５６は、演出図柄表示装置５４の前面周辺部に突設して装着されている。センター役物５６は、可動する一対の翼片部５６Ａを有している。この翼片部５６Ａの可動によりワープ入球口４８の開口面積が変化する。
【００３５】
また、遊技領域の左下方側には、主制御基板１０２（図５参照）からの制御信号に基づいて本図柄（特別図柄の本図柄及び普通図柄の本図柄を意味する）を表示制御する７セグ表示基板６０が配置されている。この７セグ表示基板６０は、特別図柄の本図柄を表示する７セグメント表示器６２と、４個の普通図柄保留表示ＬＥＤ６４と、４個の特別図柄保留表示ＬＥＤ６６と、普通図柄の本図柄を表示する２個の普通図柄表示ＬＥＤ６８と、を有している。
【００３６】
ここで、確変大当りした場合では、７セグメント表示器６２には、予め定められた図柄（例えば奇数の数字）が表示される。また、通常大当りした場合では、７セグメント表示器６２には、予め定められた別の図柄（例えば偶数の数字）が表示される。そして、各大当りのラウンド中では、７セグメント表示器６２にはその図柄が表示される。
【００３７】
また、演出図柄表示装置５４の左側には、普通図柄作動ゲート７０が配置されている。この普通図柄作動ゲート７０の内部には、ゲートスイッチ１１４（図５参照）が配設されている。これにより、遊技球が普通図柄作動ゲート７０を通過すると、ゲートスイッチ１１４が作動して、７セグ表示基板６０の普通図柄表示ＬＥＤ６８が変動表示される。
【００３８】
各普通図柄保留表示ＬＥＤ６４及び各特別図柄保留表示ＬＥＤ６６は、４個の丸形の赤色ＬＥＤで構成されており、７セグメント表示器６２の左右両側に近接して配置されている。これは、普通図柄作動ゲート７０を通過した遊技球の数を４個まで普通図柄の保留とし、通過ごとに順次点灯しシフト表示するものである。また、普通電動役物４６の始動口４４に入球した遊技球の数も４個まで特別図柄の保留とし、入球ごとに順次点灯しシフト表示するものである。７セグメント表示器６２の変動表示が開始するたびに、未始動回数が消化され、１個の特別図柄保留表示ＬＥＤ６６は消灯される。また、普通図柄も普通図柄表示ＬＥＤ６８の変動表示が開始するたびに、未始動回数が消化され、１個の普通図柄保留表示ＬＥＤ６４が消灯される。そして、７セグメント表示器６２に予め定められた大当り図柄が停止表示されると大当りが発生し、後述の大入賞口７８が開放状態となる。また、２個の普通図柄表示ＬＥＤ６８が予め定められた表示態様（当り図柄）で停止表示されると、普通図柄当りが発生し、普通電動役物４６の始動口４４が開放状態となる。なお、７セグメント表示器６２にて表示される特別図柄の本図柄と、演出図柄表示装置５４にて表示される特別図柄の擬似図柄とは、同一の遊技結果（抽選結果）を示すものである。
【００３９】
普通電動役物４６の始動口４４は、演出図柄表示装置５４の下方に離れて配置されているものであり、いわゆるチューリップ式で一対の翼片部４６Ａが開閉するように形成されている。その内部には、遊技球の通過を検知する始動口スイッチ１１０と、翼片部４６Ａを作動させるための普通電動役物ソレノイド１２０と、がそれぞれ備えられている。この一対の翼片部４６Ａが左右に開くと始動口４４の開放面積が大きくなって遊技球の入球可能性が大きくなる開放状態となり、一対の翼片部４６Ａが閉じその離間距離が小さくなると始動口４４の開放面積が小さくなって遊技球の入球の可能性が小さくなる通常状態となる。
【００４０】
変動入賞装置７２は、普通電動役物４６の下方に配置されており、基板７４と、大入賞装置７６と、を備えている。ここで、大入賞装置７６は、略中央に配置されており、帯状に開口された大入賞口７８と、この大入賞口７８を開放又は閉鎖する開閉板８０と、この開閉板８０を開閉するための大入賞口ソレノイド１２２と、入賞球を検知するカウントスイッチ１１６と、を備えている。
【００４１】
また、中央装置４２の左側下方部には、風車５２が配置されている。さらに、遊技領域の左側下方部及び右側下方には、一対のサイドランプ８２がそれぞれ配置されている。
【００４２】
また、基盤２４の下方にはアウト口８４が設けられており、このアウト口８４の下部にはバック球防止部材８６が設けられている。このバック球防止部材８６は、遊技領域２８に到達せず戻ってきた遊技球が再び発射位置に戻ることを防止している。また、内レール４０の先端部には、ファール球防止部材８８が取り付けられている。
【００４３】
次に、パチンコ機１０を構成する電子制御装置について説明する。
【００４４】
図５乃至図８に示すように、電子制御装置１００は、主制御基板１０２と、払出制御基板１０４と、サブ制御基板１０６と、発射制御基板１０８と、を備えている。
【００４５】
図５に示すように、主制御基板１０２は、ＣＰＵと、ＲＯＭと、を備えている。
【００４６】
また、主制御基板１０２のＣＰＵは、ＲＯＭに記憶されたデータに基づいて、後述の普通電動役物ソレノイド１２０、後述の大入賞口ソレノイド１２２、後述の図柄表示装置１２４及びサブ制御基板１０６をそれぞれ制御する。また、主制御基板１０２のＣＰＵは、遊技全体を司り主として当否判定などの遊技状態を判断するものであり、この判断した遊技状態に沿った遊技環境（演出態様）を実現させるように制御するサブ制御基板１０６及び払出制御基板１０４を直接的に制御する。また、主制御基板１０２のＣＰＵは、演出表示基板１５６、アンプ基板１５８、装飾駆動基板１６０及び演出ボタン基板１６２をサブ制御基板１０６を介して間接的に制御する。
【００４７】
また、主制御基板１０２のＲＯＭには、ＣＰＵにより実行される遊技全体の制御を実現するためのプログラムが記憶されている。
【００４８】
また、主制御基板１０２は、中継端子板１１０を介して、始動口スイッチ１１２と、大入賞口スイッチ１１４と、ゲートスイッチ１１６と、カウントスイッチ１１８と、にそれぞれ電気的に接続されている。
【００４９】
また、主制御基板１０２は、中継端子板１１９を介して、普通電動役物ソレノイド１２０と、大入賞口ソレノイド１２２と、図柄表示装置１２４と、にそれぞれ電気的に接続されている。なお、７セグ表示基板６０は、図柄表示装置１２４の一実施形態である。
【００５０】
払出制御基板１０４は、中継端子板１２６を介して、ガラス枠スイッチ１２８と、外部タンクスイッチ１３０と、タンクスイッチ１３２と、にそれぞれ電気的に接続されている。また、払出制御基板１０４は、中継端子板１３４を介して、エラーＬＥＤ１３６に電気的に接続されている。また、払出制御基板１０４は、下皿満タンスイッチ１３８に電気的に接続されている。また、払出制御基板１０４は、中継端子板１４０を介して、球貸表示基板１４２と、球貸装置（ＣＲユニット）１４４と、にそれぞれ電気的に接続されている。
【００５１】
なお、球貸表示基板１４２には、球貸スイッチ１４６と、返却スイッチ１４８と、がそれぞれ電気的に接続されている。また、払出制御基板１０４は、中継端子板１５０を介して、払出モータ１５２と払出スイッチ１５４とにそれぞれ電気的に接続されている。さらに、払出制御基板１０４は、主制御基板１０２と発射制御基板１０８とにそれぞれ電気的に接続されている。
【００５２】
図５及び図６に示すように、サブ制御基板１０６は、演出表示基板１５６と、アンプ基板１５８と、装飾駆動基板１６０と、演出ボタン基板１６２と、にそれぞれ電気的に接続されている。
【００５３】
また、サブ制御基板１０６は、主制御基板１０２からの制御信号に基づいて遊技の演出の制御を司るものである。また、サブ制御基板１０６は、ＣＰＵと、ＲＯＭと、を備えている。
【００５４】
サブ制御基板１０６のＣＰＵは、主制御基板１０２からの制御信号を受けて演出表示基板１５６、アンプ基板１５８、装飾駆動基板１６０及び演出ボタン基板１６２などの各基板を制御する。
【００５５】
また、サブ制御基板１０６のＲＯＭには、各基板の制御に必要なデータ（特に遊技の装飾に関する情報）が記憶されている。
【００５６】
また、図６に示すように、演出表示基板１５６には、演出表示装置１６４（５４）と、演出表示ＲＯＭ１６６と、がそれぞれ電気的に接続されている。この演出表示ＲＯＭ１６６には、演出図柄表示装置５４に変動表示される擬似特別図柄のデータが記憶されている。なお、演出図柄表示装置５４は、演出表示装置１６４の一実施形態である。
【００５７】
また、アンプ基板１５８には、所定の効果音を出力する各種スピーカ１６８（２６）が電気的に接続されている。なお、スピーカ２６は、各種スピーカ１６８の一実施形態である。
【００５８】
また、装飾駆動基板１６０には、各種ＬＥＤ・ランプ１７０（５８、８２）が電気的に接続されている。また、装飾駆動基板１６０は、サブ制御基板１０６からの制御信号を受けて遊技の装飾に関する制御を行うものである。また、演出ボタン基板１６２には、操作スイッチ１７２が電気的に接続されている。なお、ランプ装置５８及びサイドランプ８２は、各種ＬＥＤ・ランプ１７０の一実施形態である。
【００５９】
また、図７に示すように、主制御基板１０２、サブ制御基板１０６、払出制御基板１０４及び発射制御基板１０８には、各基板に電力をそれぞれ供給するための電源基板１７４が接続されている。
【００６０】
また、図８に示すように、発射制御基板１０８には、発射駆動基板１７６を介して、発射モータ１７８と、発射停止スイッチ１８０と、タッチスイッチ１８２と、がそれぞれ電気的に接続されている。また、発射制御基板１０８には、球送りソレノイド１８４が電気的に接続されている。
【００６１】
ここで、本発明の要部について説明する。
【００６２】
図２乃至図４に示すように、基盤２４の裏面には、位置検知スイッチ２００が取り付けられている。この位置検知スイッチ２００は、基盤２４裏面であって内枠１４が外枠１２に対して開閉可能に軸支されている側に取り付けられている。この位置検知スイッチ２００は、基盤２４の外枠１２に対する相対位置の変化を検知するためのものである。本実施形態では、基盤２４と位置検知スイッチ２００とで遊技盤２５（図２及び図４参照）が構成されている。なお、図５に示すように、位置検知スイッチ２００は主制御基板１０２と電気的に接続されており、位置検知スイッチ２００からの検知信号は主制御基板１０２に出力されるようになっている。
【００６３】
ここで、位置検知スイッチ２００が基盤２４の裏面であって軸支される側に取り付けられるのは、外枠１２との衝突によって接触検知部（検知部）２３２を破損させないためである。すなわち、図１６及び図１７に示すように、仮に位置検知スイッチ２００が基盤２４上であって軸支される側と反対側（開閉側）に位置検知スイッチ２００が取り付けられると、内枠１４が外枠１２に対して閉じられるときに、接触検知部２３２が飛び出た状態で外枠１２と接触することになるため、接触検知部２３２が破損するおそれが極めて高くなるので不適となる。
【００６４】
図９乃至図１３に示すように、位置検知スイッチ２００は、基盤２４に取り付けられるベース部材２０２を備えている。このベース部材２０２にはネジなどの固着具（図示省略）を通すための貫通孔２０４が複数の形成されており、この貫通孔２０４に固着具が挿通されて基盤２４にねじ込まれることにより、位置検知スイッチ２００が基盤２４に対して取り付けられる。
【００６５】
また、ベース部材２０２の表面には、スライド溝２０６が形成されている。このスライド溝２０６には、位置検知スイッチ２００が取り付けられた基盤２４の外縁部から外側に突出するようにして移動するスライド部材２０８が設けられている。また、ベース部材２０２には、スライド部材２０８に押圧力を作用させる操作部材（切換手段）２１０を取り付けるための操作部材取付部２１２が形成されている。また、操作部材取付部２１２の上面には、操作部材２１０が回転可能となるように取り付けられている。すなわち、操作部材２１０は、円筒状部２１４を備えている。この円筒状部２１４の内部には、回転軸として機能するボルト部材２１６が挿通されている。なお、このボルト部材２１６は、操作部材取付部２１２に形成されたネジ孔（図示省略）と螺合している。また、円筒状部２１４の外周面には、径方向外側に延びた２つの支持片２１８が形成されている。各支持片２１８は、円筒状部２１４の外周面に沿って１８０度開いた状態で形成されている。この支持片２１８を支持して回転させると、円筒状部２１４と支持片２１８が一体となってボルト部材２１６の軸回りを回転する。そして、各支持片２１８の延在方向がベース部材２０２の幅方向に対して略直交するように操作部材２１０を回転させると、スライド部材２０８が一方の支持片２１８により押圧されて押し出されるようにしてスライド溝２０６上を移動する。
【００６６】
また、図９及び図１０に示すように、ベース部材２０２のスライド溝２０６には、スライド部材２０８がスライド移動可能に取り付けられている。このスライド部材２０８は、全体として直方体形状に構成されており、その両端部には、移動方向（幅方向に対して直交する方向）に延びる長孔（切換手段）２２０がそれぞれ形成されている。この長孔２２０には、ベース部材２０２のネジ溝（図示省略）と螺合するボルト部材２２２がそれぞれ挿通されている。このため、各ボルト部材２２２は、スライド部材２０８が外枠１２側に突出した状態（図１０に示す状態）で長孔２２０の延在方向一方側端部２２０Ａ側に位置し、スライド部材２０８が内側に退避した状態（図９に示す状態）で長孔２２０の延在方向他方側端部２２０Ｂ側に位置する。また、スライド部材２０８の略中央の位置には、出没式のスイッチ部材２２４が取り付けられている。このスイッチ部材２２４は、スライド部材２０８に形成された凹部状のスイッチ収納部２２６に収納されるとともに、上方から透明の板状部材２２８によりスライド部材２０８上に位置決めされている。なお、板状部材２２８は、ネジなどの固着具によりスイッチ収納部２２６の近傍に取り付けられている。
【００６７】
ここで、スイッチ部材２２４は、主制御基板１０２と接続し検知信号を送信するための通信線２３４を備えたスイッチ部本体２３０と、スイッチ部本体２３０に収納可能に設けられ任意の押圧力を受け又はその押圧力が解除されることによりスイッチ部本体２３０に対して出没する接触検知部２３２と、で構成されている。具体的には、内枠１４が外枠１２に対して閉じられると、スイッチ部材２２４の接触検知部２３２は、外枠１２の側壁１２Ａから押圧力を受けてスイッチ部本体２３０の内部に収納される。このとき、スイッチ部本体２３０は、接触検知部２３２が収納されたことを検知して、通信線２３４を介して主制御基板１０２に対して検知信号を送信する。主制御基板１０２は、この検知信号を受けることにより、内枠１４が外枠１２に対して閉じられた状態、さらに具体的には、基盤２４の外枠１２に対する相対位置が正常の位置となっていると判断する。このように、スイッチ部材２２４は、基盤２４の外縁部から外側に突出した状態で、外枠１２との接触状態に基づいて基盤２４の外枠１２に対する相対位置の変化を検知する。このため、内枠１４が外枠１２に対して開いたときは勿論のこと、内枠１４が外枠１２に対して閉じている状態でも基盤２４の外枠１２に対する相対位置が変化したときには、接触検知部２３２がスイッチ部本体２３０から突出した状態となるため、スイッチ部材２２４から主制御基板１０２に対して検知信号が出力されない。この結果、主制御基板１０２は、基盤２４の外枠１２に対する相対位置が正常の位置になっていない（すなわち、基盤２４の異常）と判断する。
【００６８】
また、図１４及び図１５に示すように、各支持片２１８の延在方向がベース部材２０２の幅方向に対して略直交方向となって、スライド部材２０８が一方の支持片２１８により押圧されて押し出された状態から、各支持片２１８の延在方向がベース部材２０２の幅方向に対して略平行になるように操作部材２１０を回転させると、各支持片２１８からスライド部材２０８に作用していた押圧力が解除される。そして、この状態で、スライド部材２０８を基盤２４の外縁部から内側に押圧すると、スライド部材２０８はスライド溝２０６上を基盤２４の外縁部から内側方向に移動し、スイッチ部材２２４の接触検知部２３２が基盤２４の外縁部から内側に位置することになる。この状態では、外枠１２とスイッチ部材２２４との接触が回避された状態、すなわち、接触検知部２３２が外枠１２から押圧されていない状態となる。
【００６９】
次に、本実施形態の遊技機の作用について説明する。
【００７０】
図９、図１２及び図１４に示すように、パチンコ機１０を作動（使用）する場合には、内枠１４が外枠１２に対して閉じ、かつスライド部材２０８が基盤２４の外縁部の内側に位置している状態で、各支持片２１８の延在方向がベース部材２０２の幅方向に対して略直交するように操作部材２１０を回転させる。操作部材２１０を回転させると、基盤２４の外縁部の内側に位置していたスライド部材２０８は一方の支持片２１８と接触するとともに、スライド部材２０８にはその支持片２１８から押圧力が作用する。図１０、図１３及び図１５に示すように、スライド部材２０８に支持片２１８から押圧力が作用すると、スライド部材２０８は、基盤２４の外縁部から外枠１２側に移動する。
【００７１】
特に、図１５に示すように、スライド部材２０８が基盤２４の外縁部から外枠１２側に移動すると、スイッチ部材２２４の検知接触部２３２が外枠１２の壁部１２Ａから押し込まれるように圧力を受けるため、接触検知部２３２がスイッチ部本体２３０の内部に収納される。接触検知部２３２がスイッチ部本体２３０の内部に収納されると、スイッチ部材２２４から主制御基板１０２に対して検知信号が出力される。主制御基板１０２がこの検知信号を受信することにより、基盤２４の外枠１２に対する相対位置が正常の位置であると判断する。
【００７２】
一方、内枠１４が外枠１２に対して開いたり、内枠１４が外枠１２に対して閉じたりしている状態で基盤２４が不正行為などにより動かされると、基盤２４の外枠１２に対する相対距離が変化する。基盤２４の外枠１２に対する相対距離が変化すると、外枠１２からスイッチ部材２２４の接触検知部２３２に作用する押圧力が変化する。そして、例えば、外枠１２から接触検知部２３２に作用していた押圧力が低減しあるいは解除されることにより接触検知部２３２がスイッチ部本体２３０から突出すると、スイッチ部材２２４から主制御基板１０２に対する検知信号の出力が停止される。主制御基板１０２は、検知信号の出力の停止を受けて、基盤２４の外枠１２に対する相対位置が変化したと判断する。そして、主制御基板１０２は、サブ制御基板１０６及びアンプ基板１５８を介して、各種スピーカ１６８から所定の警告音が出力されるように制御する。これにより、基盤２４に取り付けたスイッチ部材２２４の接触検知部２３２と外枠１２の壁部１２Ａとの接触状態に基づいて、基盤２４の位置に異常があるか否かを容易に判別することができ、パチンコ機１０の周囲にいるホール関係者に、基盤２４の異常を知らせることができる。特に、内枠１４は外枠１２に対して閉じられているが、基盤２４のみが不正行為により動かされる場合についても、基盤２４の異常を検知することができる点で、いわゆるゴト行為の対策として効果がある。
【００７３】
なお、基盤２４の位置に異常がある場合には、各種スピーカ１６８から所定の警告音が出力される構成に限られるものではなく、例えば、演出表示基板１５６や装飾駆動基板１６０を介して、演出表示装置１６４にエラーを示す表示を出力したり、各種ＬＥＤ・ランプ１７０の発光パターンを特殊なものに変更したりするように制御してもよい。また、基盤２４の位置に異常がある場合に、主制御基板１０２は、払出制御基板１０４及び発射制御基板１０８を制御して、遊技球を発射させる発射モータ１７８の駆動を停止するようにしてもよい。
【００７４】
また、図９に示すように、パチンコ機１０を別の場所に搬送などする場合には、各支持片２１８の延在方向がベース部材２０２の幅方向に対して略平行となるように操作部材２１０を回転させる。操作部材２１０を回転させると、基盤２４の外縁部の外側に突出していたスライド部材２０８と支持片２１８との接触が解除される。そして、図１２及び図１４に示すように、作業者が手でスライド部材２０８を基盤２４の内側に押圧することにより、スライド部材２０８と支持片２１８との接触が解除され、スライド部材２０８のスライド移動が支持片２１８により阻止されないため、スライド部材２０８はスライド溝２０６上を基盤２４の外縁部から内側に移動する。
【００７５】
特に、図１４に示すように、スライド部材２０８がスライド溝２０６上を基盤２４の外縁部から内側に移動すると、パチンコ機１０の搬送途中において、外枠１２と接触検知部２３２との接触が回避された状態となる。これにより、パチンコ機１０の搬送途中において、スイッチ部材２２４の接触検知部２３２がスイッチ部本体２３０に常時収納されている状態となることを回避することができるため、スイッチ部材２２４の故障の原因を取り除き、スイッチ部材２２４の検知精度の低下を防止することができる。また、パチンコ機１０の搬送途中において、外枠１２と接触検知部２３２との接触が回避されると、外枠１２を介して接触検知部２３２に衝撃力が作用することが無くなるため、スイッチ部材２２４が破損などしてしまうことを防止できる。
【００７６】
以上のように、操作部材２１０を回転操作するだけで、スライド部材２０８を外枠１２側に向けてスライド移動させることができるとともに、スライド部材２０８を基盤２４の外縁部の内側に移動させることが可能になる。この結果、スライド部材２０８の操作性を向上させることができる。
【００７７】
また、基盤２４にもともと位置検知スイッチ２００が取り付けられておらず、かつ内枠１４にも位置検知スイッチ２００が取り付けられていないパチンコ機に対して、面替え（遊技盤２５のみを交換すること）を行う場合には、上述したように基盤２４に位置検知スイッチ２００が取り付けられているため、常に、位置検知スイッチ２００を備えたパチンコ機１０を得ることができる。これにより、従来のパチンコ機のように、内枠に位置検知スイッチ２００が取り付けられていないパチンコ機に対しても、面替えすることで位置検知スイッチ２００を取り付けることができるため、面替えを行う度に、基盤２４及び内枠１４全体の取り替えが不要になり、コストの上昇を抑制することができる。
【００７８】
なお、上記実施形態では、基盤２４の位置の異常を検知するために、位置検知スイッチ２００を用いたが、例えば、図１８及び図１９に示すように、位置検知スイッチ２００に替えて、基盤２４の外枠１２に対する相対距離（相対位置）を測定するための光センサ２４０を用いてもよい。光センサ２４０は、光を出射する光出射部２４０Ａと、光を受光する受光部２４０Ｂと、で構成されており、光出射部２４０Ａから出射された光が外枠１２の壁部１２Ａで反射して受光部２４０Ｂで受光されるまでの時間を主制御基板１０２で測定・演算することで、基盤２４の外枠１２に対する位置が正常であるか異常であるかを容易に判別することができる。なお、この場合には、光が反射し易くするために、外枠１２の壁部１２Ａに光反射板２４２を設けておくことが好ましい。
【００７９】
ここで、位置検知スイッチ２００に替えて光センサ２４０を用いる場合は、位置検知スイッチ２００を基盤２４上の内枠１４が外枠１２に対して開閉可能に軸支されている側に取り付ける必要はない。このため、図２０に示すように、光センサ２４０を基盤２４上の内枠１４が外枠１２に対して開閉可能に軸支されている側と反対側（開放側）に取り付けてもよい。光センサ２４０は、非接触式センサであるため、位置検知スイッチ２００のように外枠１２の壁部１２Ａと接触することがない。これにより、光センサ２４０を基盤２４の外縁部から外側に突出させる必要がなくなり、光センサ２４０を基盤２４の外縁部の内側に設けることができる。この結果、内枠１４を外枠１２に対して閉じる場合でも、光センサ２４０と外枠１２とが接触することがなく、光センサ２４０が破損してしまうことはない。また、同様の理由により、光センサ２４０を内枠１２の基盤２４上であって上部側又は下部側に設けてもよい。
【００８０】
さらに、基盤２４に、位置検知スイッチ２００と光センサ２４０との両方を設けてもよい。すなわち、図２１に示すように、基盤２４上であって内枠１４が外側１２に対して開閉可能に軸支されている側には接触式の位置検知スイッチ２００を設け、基盤２４上であって内枠１４が外側１２に対して開閉可能に軸支されている側と反対側（開閉側）には非接触式の光センサ２４０を設けてもよい。この構成では、位置検知スイッチ２００と光センサ２４０の両方で基盤２４の外枠１２に対する相対位置の変化を検知することが可能となり、検知精度を一層高めることができる。
【図面の簡単な説明】
【００８１】
【図１】本発明の第１実施形態に係る遊技機の外枠の一側に内枠が開かれさらにその内枠の一側に前面枠が開かれた状態を前方側から見た斜視図である。
【図２】本発明の第１実施形態に係る遊技機を構成する内枠と遊技盤とが分離した状態を示した斜視図である。
【図３】本発明の第１実施形態に係る遊技機の外枠の一側に内枠（前面枠が閉じられた内枠）が開かれた状態を後方側から見た斜視図である。
【図４】本発明の第１実施形態に係る遊技機の遊技盤の正面図である。
【図５】本発明の第１実施形態に係る遊技機の電子制御装置の主要部の構成を示すブロック図である。
【図６】本発明の第１実施形態に係る遊技機の電子制御装置を構成するサブ制御基板を説明するための説明図である。
【図７】本発明の第１実施形態に係る遊技機の電子制御装置における電力の供給の流れを説明するための説明図である。
【図８】本発明の第１実施形態に係る遊技機の電子制御装置を構成する発射制御基板を説明するための説明図である。
【図９】本発明の第１実施形態に係る遊技機の基盤の裏面に取り付けられる位置検知スイッチであってそのスイッチ部材が内側に引っ込んだ状態を示した平面図である。
【図１０】本発明の第１実施形態に係る遊技機の基盤の裏面に取り付けられる位置検知スイッチであってそのスイッチ部材が外側に突出した状態を示した平面図である。
【図１１】本発明の第１実施形態に係る遊技機の基盤の裏面に取り付けられる位置検知スイッチであってそのスイッチ部材が内側に引っ込んだ状態を示した正面図である。
【図１２】本発明の第１実施形態に係る遊技機の基盤の裏面に取り付けられる位置検知スイッチであってそのスイッチ部材が内側に引っ込んだ状態を示した側面図である。
【図１３】本発明の第１実施形態に係る遊技機の基盤の裏面に取り付けられる位置検知スイッチであってそのスイッチ部材が外側に突出した状態を示した側面図である。
【図１４】本発明の第１実施形態に係る遊技機の基盤の裏面に取り付けられる位置検知スイッチであって内側に引っ込んだスイッチ部材と外枠との位置関係を示した説明図である。
【図１５】本発明の第１実施形態に係る遊技機の基盤の裏面に取り付けられる位置検知スイッチであって外側に突出したスイッチ部材と外枠との位置関係を示した説明図である。
【図１６】本発明の第１実施形態に係る遊技機の基盤に取り付けられている位置検知スイッチの取付位置を変更した構成について前方から見た斜視図である。
【図１７】本発明の第１実施形態に係る遊技機の基盤に取り付けられている位置検知スイッチの取付位置を変更した構成について後方から見た斜視図である。
【図１８】本発明の第１実施形態に係る遊技機の基盤上に取り付けられている位置検知スイッチの代替例となる光センサを取り付けた構成について後方から見た斜視図である。
【図１９】本発明の第１実施形態に係る遊技機の基盤上に取り付けられている位置検知スイッチの代替例となる光センサが取り付けられた遊技盤の正面図である。
【図２０】本発明の第１実施形態に係る遊技機の基盤上に取り付けられている位置検知スイッチの代替例となる光センサの取付位置を変更した構成について後方から見た斜視図である。
【図２１】本発明の第１実施形態に係る遊技機の基盤上に取り付けられている位置検知スイッチの他に、光センサが取り付けられた構成について後方から見た斜視図である。
【符号の説明】
【００８２】
１０        パチンコ機（遊技機）
１２        外枠
１４        内枠
２４        基盤
２５        遊技盤
２８        遊技領域
２００      位置検知スイッチ
２１０      操作部材（切換手段）
２２０      長孔（切換手段）
２２４      スイッチ部材
２３２      接触検知部（検知部）
２４０      光センサ
【図１】
2008178559.tif 000003
【図２】
2008178559.tif 000004
【図３】
2008178559.tif 000005
【図４】
2008178559.tif 000006
【図５】
2008178559.tif 000007
【図６】
2008178559.tif 000008
【図７】
2008178559.tif 000009
【図８】
2008178559.tif 000010
【図９】
2008178559.tif 000011
【図１０】
2008178559.tif 000012
【図１１】
2008178559.tif 000013
【図１２】
2008178559.tif 000014
【図１３】
2008178559.tif 000015
【図１４】
2008178559.tif 000016
【図１５】
2008178559.tif 000017
【図１６】
2008178559.tif 000018
【図１７】
2008178559.tif 000019
【図１８】
2008178559.tif 000020
【図１９】
2008178559.tif 000021
【図２０】
2008178559.tif 000022
【図２１】
2008178559.tif 000023